(57)【要約】【課題】より使用者の好みに合った温度で湯張りすることが出来る風呂装置を提供する。【解決手段】浴槽６への湯張りを、風呂リモコン５の湯温設定温度に補正温度を加えた湯温で行うと共に、この湯張りされた湯温を検知し、この検知湯温と風呂リモコン５の湯温設定温度に数度を加えた追い焚き温度とを比較し、この比較結果に応じて次回湯張り時の補正温度を増減するもので、浴槽水位を検知する水位センサ２５が浴槽６の沸き上げ後、所定時間の間に入浴が検知されず、風呂リモコン５の高温差し湯スイッチ３８、ぬるめスイッチ３９、あつめスイッチ４０が操作された時には、前記増減された補正温度を更に増減することにより、使用者の好みに合った湯温で湯張りされることとなり、何ら煩わしい追加操作をすることなく、快適な入浴が可能となり極めて使用勝手が良いものである。【選択図】  図２
2009036474.tif 000002
【特許請求の範囲】
【請求項１】
浴槽への湯張りを、風呂リモコンの湯温設定温度に補正温度を加えた湯温で行うと共に、この湯張りされた湯温を検知し、この検知湯温と風呂リモコンの湯温設定温度に数度を加えた追い焚き温度とを比較し、この比較結果に応じて次回湯張り時の補正温度を増減するものに於いて、浴槽水位を検知する水位センサが浴槽の沸き上げ後、所定時間の間に入浴が検知されず、風呂リモコンの高温差し湯スイッチ、ぬるめスイッチ、あつめスイッチが操作された時には、前記増減された補正温度を更に増減する事を特徴とする風呂装置。
【発明の詳細な説明】
【技術分野】
【０００１】
この発明は、浴槽への湯張り温度を使用者の好みに応じた素早く補正することが出来る風呂装置を提供する。
【背景技術】
【０００２】
従来この種のものに於いては、浴槽内への入浴者の有無により、入浴者がいない時に、設定湯温よりやや低い湯温の湯張りを行い、入浴者を検知した時には、設定湯温まで追い焚きすることで、エネルギーを節約しながら快適な入浴が行えるようにしたものであった。（例えば、特許文献１参照。）
【特許文献１】特許第２９２８５７３号公報
【発明の開示】
【発明が解決しようとする課題】
【０００３】
ところでこの従来のものでは、入浴者（使用者）の好みに関係なく自動的に繰り替えされるもので、全ての使用者にとって快適な制御にはならないものであり、又リモコンの設定温度にしても、配管の長さや浴槽の大きさによって放熱量が異なるし、湯温を検知するセンサの精度や取り付け位置によって、それぞれ相違するものであり、実際の湯温とリモコンの設定温度とは一致しないのが普通で、あくまでも使用者の感覚で快適な湯温は決定されるものであった。
【課題を解決するための手段】
【０００４】
この発明は上記課題を解決するために、特にその構成を、浴槽への湯張りを、風呂リモコンの湯温設定温度に補正温度を加えた湯温で行うと共に、この湯張りされた湯温を検知し、この検知湯温と風呂リモコンの湯温設定温度に数度を加えた追い焚き温度とを比較し、この比較結果に応じて次回湯張り時の補正温度を増減するものに於いて、浴槽水位を検知する水位センサが浴槽の沸き上げ後、所定時間の間に入浴が検知されず、風呂リモコンの高温差し湯スイッチ、ぬるめスイッチ、あつめスイッチが操作された時には、前記増減された補正温度を更に増減するようにしたものである。
【発明の効果】
【０００５】
以上のようにこの発明によれば、湯張り後の所定時間内に浴室に設置されている風呂リモコンのぬるめスイッチ、あつめスイッチ、高温差し湯スイッチが操作されたと言うことは、沸き上げられた湯温に満足していないために、前記の各スイッチを操作したことが予測されるので、次回の湯張り時の補正温度をぬるめスイッチ操作では負側に補正し、あつめ、高温差し湯スイッチ操作では正側に補正値を増加させるようにしたことで、次回の湯張り温度が使用者の好みに合った湯温で湯張りされることとなり、何ら煩わしい追加操作をすることなく、快適な入浴が可能となり極めて使用勝手が良いものである。
【発明を実施するための最良の形態】
【０００６】
次にこの発明の一実施形態の風呂装置を図面に基づき説明する。
この風呂装置は、時間帯別契約電力の電力単価が安価な深夜時間帯に湯水を沸き上げて貯湯し、この貯湯した湯水を給湯や風呂に用いるもので、１は湯水を貯湯する貯湯タンク２を備えた貯湯タンクユニット、３は貯湯タンク内の湯水を加熱する加熱手段としてのヒートポンプユニット、４は台所や洗面所等に設けられた給湯栓、５はこの風呂装置を遠隔操作する浴室設置の風呂リモコン、６は浴槽である。
【０００７】
前記貯湯タンクユニット１の貯湯タンク２は、上端に出湯管７と、下端に給水管８とが接続され、更に下部にヒーポン循環回路を構成するヒーポン往き管９と、上部にヒーポン循環回路を構成するヒーポン戻り管１０とが接続され、前記ヒートポンプユニット３によってヒーポン往き管９から取り出した貯湯タンク２内の湯水を沸き上げてヒーポン戻り管１０から貯湯タンク２内に戻して貯湯され、給水管８からの給水により貯湯タンク２内の湯水が押し上げられて貯湯タンク２内上部の高温水が出湯管７から押し出されて給湯されるものである。
【０００８】
前記ヒートポンプユニット３は、圧縮機１１と凝縮器としての冷媒−水熱交換器１２と電子膨張弁１３と強制空冷式の蒸発器１４で構成されたヒートポンプ回路１５と、貯湯タンク２内の湯水を前記ヒーポン往き管９およびヒーポン戻り管１０を介して冷媒−水熱交換器１２に循環させるヒーポン循環ポンプ１６と、それらの駆動を制御するヒーポン制御部１７とを備えており、ヒートポンプ回路１５内には冷媒として二酸化炭素が用いられて超臨界ヒートポンプサイクルを構成しているものである。なお、冷媒に二酸化炭素を用いているので、低温水を電熱ヒータなしで約９０℃の高温まで沸き上げることが可能なものである。
【０００９】
ここで、前記冷媒−水熱交換器１２は冷媒と被加熱水たる貯湯タンク２内の湯水とが対向して流れる対向流方式を採用しており、超臨界ヒートポンプサイクルでは熱交換時において冷媒は超臨界状態のまま凝縮されるため効率良く高温まで被加熱水を加熱することができ、被加熱水の冷媒−水熱交換器１２入口温度と冷媒の出口温度との温度差が一定になるように前記電子膨張弁１２または圧縮機１１を制御することで、ＣＯＰ（エネルギー消費効率）がとても良い状態で被加熱水を加熱することが可能なものである。
【００１０】
１８は前記浴槽６の湯水を加熱するためのステンレス製の蛇管よりなる風呂熱交換器で、貯湯タンク２内の上部に配置されていると共に、この風呂熱交換器１８には風呂往き管１９および風呂循環ポンプ２０を備えた風呂戻り管２１よりなる風呂循環回路２２が接続されて浴槽６の湯水が循環可能にされ、浴槽６内の湯水が貯湯タンク２内の高温水により加熱されて保温あるいは追い焚きが行われるものである。
【００１１】
２３は風呂戻り管２１を介して風呂熱交換器１８に流入する浴槽水の温度を検出する風呂戻り温度センサ、２４は風呂熱交換器１８を流出して風呂往き管１９を介して浴槽６へ流れる浴槽水の温度を検出する風呂往き温度センサ、２５は風呂戻り管２１に備えられ浴槽６の水位や入浴者の有無を検知する水位センサである。
【００１２】
２６は出湯管７からの湯と給水管９から分岐された給水バイパス管２７からの低温水を混合する電動ミキシング弁より構成された給湯混合弁であり、その下流の給湯管２８に設けた給湯温度センサ２９で検出した湯温がユーザーが設定した給湯設定温度になるように混合比率が制御されるものである。
【００１３】
３０は給湯管２８から分岐されて風呂戻り管２１に連通された湯張り管で、この湯張り管３０には、浴槽６への湯張りの開始／停止を行う湯張り弁３１と、浴槽６への湯張り量をカウントする風呂流量カウンタ３２と、浴槽水が給湯管２８へ逆流するのを防止する逆止弁３３とが設けられており、貯湯タンク２内の高温水を浴槽６に直接差し湯して追い焚きする時もこの湯張り管３０を介して行われるものである。
【００１４】
３４は貯湯タンク２の上下方向に複数個配置された貯湯温度センサで、この実施形態では５つの貯湯温度センサが配置され上から３４ａ、３４ｂ、３４ｃ、３４ｄ、３４ｅと呼び、この貯湯温度センサ３４が検出する温度情報によって、貯湯タンク２内にどれだけの熱量が残っているかを検知し、そして貯湯タンク２内の上下方向の温度分布を検知するものである。
【００１５】
前記風呂リモコン５には、給湯設定温度を設定する給湯温度設定スイッチ３５、および風呂設定温度を設定する風呂温度設定スイッチ３６がそれぞれ設けられていると共に、浴槽６へ風呂設定温度の湯を湯張りし所定時間保温させる風呂自動スイッチ３７と、浴槽６内に高温の湯を差し湯させる高温差し湯スイッチ３８、ぬるめスイッチ３９、あつめスイッチ４０が設けられているものである。
【００１６】
４１は貯湯タンクユニット１内の各センサの入力を受け各アクチュエータの駆動を制御するマイコンから成る給湯制御部である。この給湯制御部４１に前記風呂リモコン５が無線または有線により接続されユーザーが任意の給湯設定温度および風呂設定温度を設定できるようにしているものであり、又風呂自動スイッチ３７がＯＮされることで風呂リモコン５の設定湯温＋３℃の湯張り温度で浴槽６に湯張りされ、ここで実際に湯張りされた湯温を検知し、この検知温度と風呂リモコン５の設定湯温＋１℃の追い焚き温度とを比較し、追い焚き温度未満では前記湯張り温度に＋０．５℃の補正温度で補正すると共に追い焚きするものであり、又同一では０の補正温度とし、以上では−０．５℃の補正温度で補正するものである。
【００１７】
更にこの給湯制御部４１は、湯張り後の所定時間ここでは保温インターバルの２０分の間に、入浴が行われずに高温差し湯スイッチ３８、ぬるめスイッチ３９、あつめスイッチ４０が操作された場合には、前記の補正温度の補正を再び行うもので、高温差し湯スイッチ３８、あつめスイッチ４０の操作では、前記の湯張り温度に更に＋０．５℃の補正温度を追加補正し、ぬるめスイッチ３９の操作では逆に前記の湯張り温度の補正から−０．５℃を引くように補正を加えるもので、所定時間中に水位センサ２５により入浴が検知された場合には、この補正は行われないものである。
【００１８】
４２は貯湯タンク２の過圧を逃す過圧逃し弁、４３は給水の圧力を減圧する減圧弁、４４は給湯する湯水の量をカウントする給湯流量カウンタ、４５は給水の温度を検出する給水温度センサである。
【００１９】
次にこの一実施形態の作動を説明する。
まず、深夜電力時間帯になって貯湯温度センサ３４が貯湯タンク２内に翌日に必要な熱量が残っていないことを検出すると、給湯制御部４１はヒーポン制御部１７に対して沸き上げ開始指令を発する。指令を受けたヒーポン制御部１７は圧縮機１１を起動した後にヒーポン循環ポンプ１６を駆動開始し、貯湯タンク２下部に接続されたヒーポン往き管９から取り出した５〜２０℃程度の低温水を冷媒−水熱交換器１２で７０〜９０℃程度の高温に加熱し、貯湯タンク２上部に接続されたヒーポン戻り管１０から貯湯タンク２内に戻し、貯湯タンク２の上部から順次積層して高温水を貯湯していく。貯湯温度センサ３４が必要な熱量が貯湯されたことを検出すると、給湯制御部４１はヒーポン制御部１７に対して沸き上げ停止指令を発し、ヒーポン制御部１７は圧縮機１１を停止すると共にヒーポン循環ポンプ１６も停止して沸き上げ動作を終了するものである。
【００２０】
次に給湯運転について説明すると、給湯栓４を開くと、給水管８からの給水が貯湯タンク２内に流れ込む。そして貯湯タンク２に貯められた高温水が出湯管７を介して給湯混合弁２５へ流入し、給水バイパス管２６からの低温水と混合され、給湯制御部４１により給湯混合弁２８の混合比率が調整されて給湯設定温度の湯が給湯栓４から給湯される。そして、給湯栓４の閉止によって給湯が終了するものである。
【００２１】
次に浴槽６への風呂自動運転について図２のフローチャートで説明すると、風呂リモコン５の風呂自動スイッチ３７が操作されると、風呂リモコン５の設定湯温＋３℃の湯張り温度で浴槽６に湯張りする（ステップ４６）。そしてステップ４７ではここで実際に湯張りされた湯温を検知し、この検知温度と風呂リモコン５の設定湯温＋１℃の追い焚き温度とを比較し、追い焚き温度未満では前記湯張り温度に＋０．５℃の補正温度で補正すると共にステップ４８で追い焚きするものであり、又同一では０の補正温度とし、以上では−０．５℃の補正温度で補正し、次回以降の湯張り温度の学習し、ステップ４９で湯張り完了の報知をするものである。
【００２２】
そしてステップ５０に進み風呂リモコン５の操作の有無を判断し、ＹＥＳでステップ５１に進み水位センサ２５による入浴検知がなく、高温差し湯スイッチ３８、ぬるめスイッチ３９、あつめスイッチ４０のうちのどれかのスイッチの操作があったかを判断し、ＹＥＳでステップ５２に進み最初の湯張りによる風呂の沸き上げ温度の補正温度を更に強制的に補正するもので、高温差し湯スイッチ３８、あつめスイッチ４０の操作では、先の補正温度に＋０．５℃を追加した温度とし、ぬるめスイッチ３９の操作では、先の補正温度から−０．５℃の温度とするもので、次の湯張りによる風呂の沸き上げ温度を使用者の好みに応じた温度に近づけるものである。
【００２３】
次にステップ５１でＮＯで、入浴を検知した場合や高温差し湯スイッチ３８、ぬるめスイッチ３９、あつめスイッチ４０以外のスイッチが操作された場合や、ステップ５２の補正が終了した時には、ステップ５３に進み各スイッチ操作による運転が行われるものである。
【００２４】
又ステップ５０で風呂リモコン５の操作がなく、ＮＯの場合はステップ５４で風呂の沸き上げからの時間が所定時間、ここでは２０分の自動保温時間かを判断するものであり、次の湯張りによる風呂の沸き上げ温度補正の所定時間も兼用しているもので、これ以後は風呂リモコン５の操作があっても温度の補正は行わないものであり、ＹＥＳではステップ５５に進んで風呂の自動保温運転を行うものである。
【００２５】
このように湯張り後の所定時間内に浴室に設置されている風呂リモコンのぬるめスイッチ、あつめスイッチ、高温差し湯スイッチが操作されたと言うことは、沸き上げられた湯温に満足していないために、前記の各スイッチを操作したことが予測されるので、次回の湯張り時の補正温度をぬるめスイッチ操作では負側に補正し、あつめ、高温差し湯スイッチ操作では正側に補正値を増加させるようにしたことで、次回の湯張り温度が使用者の好みに合った湯温で湯張りされることとなり、何ら煩わしい追加操作をすることなく、快適な入浴が可能となり極めて使用勝手が良いものである。
【図面の簡単な説明】
【００２６】
【図１】この発明の一実施形態の概略構成図。
【図２】同要部のフローチャート。
【符号の説明】
【００２７】
５  風呂リモコン
６  浴槽
２５  水位センサ
３８  高温差し湯スイッチ
３９  ぬるめスイッチ
４０  あつめスイッチ
【図１】
2009036474.tif 000003
【図２】
2009036474.tif 000004